(57)【要約】【課題】            送風機のモータの軸受への湿気や水や埃の侵入を防ぎ、長寿命化を実現できる換気装置を得る。【解決手段】        下面が開口し、一側に排気口を有する本体箱体１内に下面の開口から排気口に向かう気流を形成する送風機２を組込んだ換気装置について、その送風機２の羽根車９の主板１２に形成した回転軸８を嵌めるボス部１３を包み背面に突出する、羽根車９を駆動するモータ７のベアリングハウジング１５の外径より内径の大きいリング状のリブ１４を設け、このベアリングハウジング１５をリブ１４で覆う。また、ベアリングハウジング１５の外周部にリング状の凹部１７を形成し、この凹部１７にリング状のリブ１４の端部が回転可能に嵌まり合う構成とする。【選択図】          図１
2005300013.tif 000002
【特許請求の範囲】
【請求項１】
下面が開口し、一側に排気口を有する本体箱体内に下面の開口から前記排気口に向かう気流を形成する送風機を組込んだ換気装置であって、前記送風機の羽根車の主板に形成した回転軸を嵌めるボス部を包み背面に突出する、羽根車を駆動するモータのベアリングハウジングの外径より内径の大きいリング状のリブを設け、このベアリングハウジングを前記リブで覆った換気装置。
【請求項２】
請求項１に記載の換気装置であって、ベアリングハウジングの外周部にリング状の凹部を形成し、この凹部にリング状のリブの端部が回転可能に嵌まり合う構成の換気装置。
【請求項３】
請求項１又は請求項２のいずれかに記載の換気装置であって、主板の中央がボス部側に入込んだ構成であり、リブの付根の主板に抜孔を形成した換気装置。
【請求項４】
請求項１〜請求項３までのいずれかに記載の換気装置であって、ボス部の前面側を一体の袋状のボスカバーで覆った換気装置。
【請求項５】
請求項４に記載の換気装置であって、ボス部をＣリング状のバネを持つ構成とし、このＣリング状のバネで回転軸を半径方向から締付け、抜き差し可能に固定した換気装置。
【請求項６】
請求項４又は請求項５のいずれかに記載の換気装置であって、ボスカバーの先端形状を半球状にした換気装置。
【発明の詳細な説明】
【技術分野】
【０００１】
本発明は、天井等に取付けられダクトを通じて室内の空気を室外に排気する換気装置に関するものである。
【背景技術】
【０００２】
住宅の高気密高断熱化に伴い、常時換気の必要性が高まり、２４時間換気を実現する換気装置が開発されている。この種の換気装置では機能部品、とりわけモータの長寿命化が課題となっている。浴室等に設置されるものでは、送風機のケーシング内で生じる結露水に対する対策も必要である。なお、この種の従来技術としては特許文献１に示されているものがある。
【０００３】
【特許文献１】特開平０８−０９４１４３号公報
【発明の開示】
【発明が解決しようとする課題】
【０００４】
従来のこの種の換気装置では、送風機のケーシング内で生じる結露水に対する対策が講じられているが、モータの軸受を湿気や結露水から保護する対策は講じられていない。従って、回転軸とこれを受承している軸受の隙間から湿気や結露水が侵入し、軸受の機能劣化を招きやすく、モータの寿命を短くしている。
【０００５】
本発明は、上記した湿気や水に纏わる課題を解決するためになされたものであり、その目的とするところは、送風機のモータの軸受への湿気や水や埃の侵入を防ぎ、長寿命化を実現できる換気装置を得ることである。
【課題を解決するための手段】
【０００６】
上記課題を解決するために本発明は、下面が開口し、一側に排気口を有する本体箱体内に下面の開口から排気口に向かう気流を形成する送風機を組込んだ換気装置について、その送風機の羽根車の主板に形成した回転軸を嵌めるボス部を包み背面に突出する、羽根車を駆動するモータのベアリングハウジングの外径より内径の大きいリング状のリブを設け、このベアリングハウジングをリブで覆う手段を採用する。
【発明の効果】
【０００７】
本発明によれば、モータの羽根車の主板に形成したボス部を包むリブによって、ボス部と回転軸間、回転軸とベアリングハウジング間が本体箱体の下面の開口の多湿雰囲気から離隔され、湿気や水や埃の軸受への侵入を回避することができる。これによって、送風機のモータの軸受への湿気や水や埃の侵入を防ぎ、長寿命化を実現できる換気装置が得られる。
【発明を実施するための最良の形態】
【０００８】
本発明の換気装置は、本体の大半が天井裏空間に臨むように建物の天井構造に取付けられ、吸込んだ室内の空気を、ダクトを介して室外へ排気するものである。換気装置そのものは、箱型の樹脂製の本体箱体と、この本体箱体内に組付けられた送風機と、本体箱体の一側の排気口に係脱可能に装着されるダクト接続枠と、本体箱体の開口部に天井面に沿って装着される化粧パネルとから構成されている。送風機は、本体箱体の下面の開口部から排気口に向かう排気流を形成するもので、送風機の樹脂製のファンケーシングは、その吸込口以外の本体箱体の下面の開口部を閉止している。
【０００９】
送風機のモータは、本体箱体の上部にその回転軸がファンケーシング内に突入する状態に取付けられ、ファンケーシング内で回転軸端に遠心式の羽根車が装着されている。羽根車の主板はモータ側にあり、主板の中央には回転軸を嵌めるボス部が形成されている。主板にはボス部を包み背面（モータ側）に突出するリング状のリブが一体に設けられている。リブは、羽根車を駆動するモータのベアリングハウジングの外径より内径が大きくなっていて、ベアリングハウジングはこのリブに内包されている。
【００１０】
この換気装置では、モータの羽根車の主板に形成したボス部を包むリブによって、ボス部と回転軸間、回転軸とベアリングハウジング間が本体箱体の下面の開口及びファンケーシング内の多湿雰囲気から離隔され、湿気や水の軸受への侵入を回避することができる。これによって、送風機のモータの軸受への湿気や水の侵入が防止され、長寿命化が実現できる。
【００１１】
実施の形態１．
図１は、本実施の形態の換気装置を取付状態で示す断面図、図２は、同じく送風機部分の拡大部分断面図である。換気装置は、図１に示すように本体の大半が天井裏空間に臨むように建物の天井構造に取付けられ、吸込んだ室内の空気をダクトを介して室外へ排気するものである。
【００１２】
換気装置自体は、箱型の樹脂製の本体箱体１と、この本体箱体１内に組付けられた送風機２と、本体箱体１の一側の排気口に係脱可能に装着されるダクト接続枠３と、本体箱体１の開口部に天井面に沿って装着される化粧パネル４とから構成されている。送風機２は、本体箱体１の下面の開口部から排気口に向かう排気流を形成するもので、送風機２の樹脂製のファンケーシング５は、その吸込口６以外の本体箱体１の下面の開口部を閉止している。
【００１３】
送風機２のモータ７は、本体箱体１の上部にその回転軸８がファンケーシング５内に突入する状態に取付けられ、ファンケーシング５内で回転軸８端側に遠心式の羽根車９がワッシャ１０と袋ナット１１により装着されている。羽根車９の主板１２はモータ７側にあり、主板１２の中央には回転軸８を嵌めるボス部１３が形成されている。主板１２の中央はボス部１３側に斜めに入込んだ構成となっている。この主板１２にはボス部１３を包み、背面（モータ側）に突出するリング状のリブ１４が一体に設けられている。リブ１４は、羽根車９を駆動するモータ７のベアリングハウジング１５の外径より内径が１ｍｍ程度大きくなっている。リブ１４の付根の主板１２には、排水用の抜孔１６が形成されている。また、ベアリングハウジング１５の外周部には、リング状の凹部１７が形成され、この凹部１７にリング状のリブ１４の端部が回転可能に嵌まり合っていて、ベアリングハウジング１５はこのリブ１４に内包されている。
【００１４】
この換気装置では、モータ７の羽根車９の主板１２に形成したボス部１３を包むリブ１４によって、ボス部１３と回転軸８間、回転軸８とベアリングハウジング１５の軸受間が本体箱体１の下面の開口部及びファンケーシング５内の多湿雰囲気から離隔され、そして、リブ１４と凹部１７とにより流体軸受を形成するため湿気や水の軸受への侵入を回避することができる。ファンケーシング５内において主板１２及びモータ７の外殻から主板１２に受けられた結露水等は、主板１２の傾斜に沿って流下し、排水用の抜孔１６から羽根車９内に排水される。これによって、送風機２のモータ７の軸受への湿気や水の侵入が防止され、換気装置の長寿命化が実現できる。送風機２の停止状態では羽根車９の主板１２の背面側に塵埃が入込むことはないので軸受を塵埃からも保護できる。
【００１５】
実施の形態２．
本実施の形態は、羽根車のボス部周りの構造に特徴をもつもので、これに係る構成以外は実施の形態１で示した換気装置と同じである。従って、実施の形態１と同じ部分については実施の形態１と同じ符号を用い、それらについての説明は省略する。
【００１６】
図３は、本実施の形態の換気装置を取付状態で示す断面図、図４は、同じく送風機部分の拡大部分断面図、図５は、ボス部の拡大断面図である。図４に示すように本実施の形態の換気装置は、羽根車９のリブ１４を延長するかたちに主板１２の前面側に、ボス部１３の前面側を覆う袋状のボスカバー１８が一体に設けられている。ボス部１３は、スリット１９により半径方向に数個に分割されたボス２０と、このボス２０の外周に装着されたＣリング状のバネ２１を備えている。バネ２１は、ボス２０を半径方向から締付け、ボス２０に差込んだ回転軸８を抜き差し可能に固定する。このボス部１３はボスカバー１８によってジャケット状に被覆されている。ボスカバー１８の先端形状は、半球状に形成され、騒音の低減や送風性能の改善が図られている。羽根車９の回転軸８への装着は、圧入するだけでよく、取外しはバネの弾性力に抗して引抜けばよく、羽根車９の脱着は容易である。ボスカバー１８で包まれた回転軸８端が水や湿気で錆びることもない。これ以外の構成及び作用効果は実施の形態１のものと同じである。
【図面の簡単な説明】
【００１７】
【図１】換気装置を取付状態で示す断面図である。（実施の形態１）
【図２】送風機部分の拡大部分断面図である。（実施の形態１）
【図３】換気装置を取付状態で示す断面図である。（実施の形態２）
【図４】送風機部分の拡大部分断面図である。（実施の形態２）
【図５】ボス部の拡大断面図である。（実施の形態２）
【符号の説明】
【００１８】
１  本体箱体、  ２  送風機、  ７  モータ、  ８  回転軸、  ９  羽根車、  １２  主板、  １３  ボス部、  １４  リブ、  １５  ベアリングハウジング、  １６  抜孔、  １７  凹部、  １８  ボスカバー、  ２１  バネ。
【図１】
2005300013.tif 000003
【図２】
2005300013.tif 000004
【図３】
2005300013.tif 000005
【図４】
2005300013.tif 000006
【図５】
2005300013.tif 000007